(57)【特許請求の範囲】
【請求項１】
温水供給装置であって、
電気とガスの少なくとも一方を消費することによって水を加熱する熱源と、
情報を表示する表示手段と、
熱源と表示手段の少なくとも一方の動作内容に関係する複数のパラメータのそれぞれの値を設定する設定手段と、
設定されている各パラメータの値に従って、熱源と表示手段の少なくとも一方の動作を制御する制御手段と、
複数のパラメータのそれぞれに対応する助言情報を記憶する記憶手段と、
を有しており、
各助言情報は、温水供給装置の使用方法に関する情報を含んでおり、
制御手段は、
設定されている各パラメータのそれぞれの値を所定の値に変更することによって生じる節約金額が大きいものから順に、対応する各助言情報に優先順位を付し、
付された優先順位に従って、各助言情報を表示手段に表示させる、
温水供給装置。
【請求項２】
制御手段は、温水供給装置の使用状況に基づいて計算を行って節約金額を算出する、
請求項１に記載の温水供給装置。
【請求項３】
複数のパラメータは、現在時刻の設定の有無に関するパラメータを含む、
請求項１又は２に記載の温水供給装置。
【請求項４】
複数のパラメータは、温水利用箇所に供給される温水の設定温度に関するパラメータを含む、
請求項１から３のいずれか一項に記載の温水供給装置。
【請求項５】
複数のパラメータは、熱源で加熱された温水をタンクに蓄える貯湯運転を停止することに関するパラメータを含む、
請求項１から４のいずれか一項に記載の温水供給装置。
【請求項６】
複数のパラメータは、浴槽に供給された温水を保温する保温運転を継続する保温時間に関するパラメータを含む、
請求項１から５のいずれか一項に記載の温水供給装置。
【請求項７】
複数のパラメータは、表示手段に情報が表示される場合における、表示手段に内蔵された照明手段の継続点灯時間に関するパラメータを含む、
請求項１から６のいずれか一項に記載の温水供給装置。
【請求項８】
温水供給装置であって、
電気とガスの少なくとも一方を消費することによって水を加熱する熱源と、
情報を表示する表示手段と、
熱源の動作を制御する制御手段と、
温水供給装置の使用方法に関する情報を含む複数の助言情報を記憶する記憶手段と、
を有しており、
制御手段は、
現在時刻の設定がされていない第１の表示条件が満たされる場合に、第１の助言情報を表示手段に表示させ、
温水利用箇所に供給される温水の設定温度が所定の温度より高い第２の表示条件が満たされる場合に、第１の助言情報とは異なる第２の助言情報を表示手段に表示させ、
第１の表示条件と第２の表示条件の双方が満たされる場合には、第１の助言情報を第２の助言情報よりも優先的に表示手段に表示させる、
温水供給装置。
【発明の詳細な説明】
【技術分野】
【０００１】
本明細書で開示する技術は、温水供給装置に関する。
【背景技術】
【０００２】
特許文献１には、貯湯式の給湯機が開示されている。この給湯機は、水を加熱する加熱手段と、加熱手段で加熱した湯を蓄える貯湯タンクと、機器の運転動作を制御する制御手段と、表示手段とを有する。表示手段には、使用時の給湯機全体の効率が向上する修正使用方法が表示される。
【先行技術文献】
【特許文献】
【０００３】
【特許文献１】特開２０１０−１７５１６１号公報
【発明の概要】
【発明が解決しようとする課題】
【０００４】
表示手段に表示されるべき情報が毎回一つとは限らない。表示手段に表示されるべき複数の情報が存在する場合もある。特許文献１の技術では、表示手段に表示されるべき複数の情報が存在する場合において、どの情報を優先して表示させるのかについて何も考慮されていない。
【０００５】
本明細書では、ユーザにとって有用な複数の情報を適切に表示手段に表示させるための技術を提供する。
【課題を解決するための手段】
【０００６】
本明細書が開示する一つの温水供給装置は、電気とガスの少なくとも一方を消費することによって水を加熱する熱源と、情報を表示する表示手段と、熱源と表示手段の少なくとも一方の動作内容に関係する複数のパラメータのそれぞれの値を設定する設定手段と、設定されている各パラメータの値に従って、熱源と表示手段の少なくとも一方の動作を制御する制御手段と、複数のパラメータのそれぞれに対応する助言情報を記憶する記憶手段とを有している。各助言情報は、温水供給装置の使用方法に関する情報を含んでいる。制御手段は、設定されている各パラメータのそれぞれの値を所定の値に変更することによって生じる節約金額が大きいものから順に、対応する各助言情報に優先順位を付し、付された優先順位に従って、各助言情報を表示手段に表示させる。
【０００７】
上記の温水供給装置では、表示手段に表示させるべき複数の助言情報が存在する場合に、現在設定されている値を所定の値に変更することによって生じる節約金額が大きいパラメータに対応する助言情報を優先的に表示手段に表示させることができる。そのため、ユーザは、費用面のメリットの大きい助言情報を優先的に見ることができる。従って、上記の温水供給装置によると、ユーザにとって有用な複数の助言情報を適切に表示手段に表示させることができる。
【０００８】
本明細書が開示するもう一つの温水供給装置は、電気とガスの少なくとも一方を消費することによって水を加熱する熱源と、情報を表示する表示手段と、熱源の動作を制御する制御手段と、温水供給装置の使用方法に関する情報を含む複数の助言情報を記憶する記憶手段とを有している。制御手段は、現在時刻の設定がされていない第１の表示条件が満たされる場合に、第１の助言情報を表示手段に表示させ、温水利用箇所に供給される温水の設定温度が所定の温度より高い第２の表示条件が満たされる場合に、第１の助言情報とは異なる第２の助言情報を表示手段に表示させ、第１の表示条件と第２の表示条件の双方が満たされる場合には、第１の助言情報を第２の助言情報よりも優先的に表示手段に表示させる。
【０００９】
上記の温水供給装置では、第１の表示条件と第２の表示条件の双方が満たされる場合に、第１の助言情報を第２の助言情報よりも優先的に表示させることができる。そのため、ユーザは、現在時刻の設定がされていない場合に表示手段に表示させるべき第１の助言情報を優先的に見ることができる。従って、上記の温水供給装置による場合も、ユーザにとって有用な複数の助言情報を適切に表示手段に表示させることができる。
【図面の簡単な説明】
【００１０】
【図１】実施例の給湯暖房装置１０の構成を示すブロック図。
【図２】リモコン１２を示す図。
【図３】電源のオフ時に助言情報が表示される様子を示す図。
【図４】各助言情報の表示文と表示条件と表示間隔とを示す表。
【図５】コントローラ１４が実行する第１表示処理を示すフローチャート。
【図６】コントローラ１４が実行する第２表示処理を示すフローチャート。
【図７】コントローラ１４が実行する第３表示処理を示すフローチャート。
【図８】コントローラ１４が実行する第４表示処理を示すフローチャート。
【図９】コントローラ１４が実行する第５表示処理を示すフローチャート。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
（特徴１）  制御手段は、温水供給装置の使用状況に基づいて計算を行って節約金額を算出することが好ましい。この構成によると、温水供給装置は、ユーザによる温水供給装置の使用状況に基づいて算出された節約金額に基づいて、複数の助言情報を表示手段に表示させる際の優先順位を決定することができる。従って、ユーザによる温水供給装置の使用状況に従って、複数の助言情報を表示手段に表示させる際の優先順位を適切に決定することができる。
【００１３】
（特徴２）  複数のパラメータは、現在時刻の設定の有無に関するパラメータを含むことが好ましい。現在時刻を設定し、設定した現在時刻を利用して温水供給装置の運転を制御すれば、現在時刻を設定せずに温水供給装置を運転する場合に比べて温水供給装置を効率的に運転することができる。従って、この構成によると、ユーザの費用面のメリットを大きくし得る。
【００１４】
（特徴３）  複数のパラメータは、温水利用箇所に供給される温水の設定温度に関するパラメータを含むことが好ましい。温水の設定温度を所定の最適温度に設定して温水供給装置を運転させる場合、温水の設定温度を所定の最適温度よりも高い温度に設定して温水供給装置を運転させる場合に比べて、温水供給装置を効率的に運転することができる。従って、この構成によると、ユーザの費用面のメリットを大きくし得る。
【００１５】
（特徴４）  複数のパラメータは、熱源で加熱された温水をタンクに蓄える貯湯運転を停止することに関するパラメータを含むことが好ましい。例えば、ユーザが長期間外出する場合のように、長期間温水が使用されない場合においては、貯湯運転を停止する方が、貯湯運転を継続して実行する場合に比べて、温水供給装置を効率的に運転することができる。従って、この構成によると、ユーザの費用面のメリットを大きくし得る。
【００１６】
（特徴５）  複数のパラメータは、浴槽に供給された温水を保温する保温運転を継続する保温時間に関するパラメータを含むことが好ましい。保温時間を所定の最適時間に設定して温水供給装置を運転させる場合、保温時間を所定の最適時間より長い時間に設定して温水供給装置を運転させる場合に比べて、温水供給装置を効率的に運転することができる。従って、この構成によると、ユーザの費用面のメリットも大きくし得る。
【００１７】
（特徴６）  複数のパラメータは、表示手段に情報が表示される場合における、表示手段に内蔵された照明手段の継続点灯時間に関するパラメータを含むことが好ましい。照明手段の継続点灯時間を所定の最適時間に設定して温水供給装置を運転させる場合、継続点灯時間を所定の最適時間より長い時間に設定して温水供給装置を運転させる場合に比べて、温水供給装置を効率的に運転することができる。従って、この構成によると、ユーザの費用面のメリットも大きくし得る。
【００１８】
（第１実施例）
図１に示す本実施例の給湯暖房装置１０は、給湯と暖房の両者を行う熱供給装置である。給湯暖房装置１０は、主に、ヒートポンプ４０と、給湯暖房ユニット５０と、貯湯タンク３０と、暖房端末７０と、コントローラ１４と、リモコン１２を備えている。コントローラ１４は、ヒートポンプ４０及び給湯暖房ユニット５０を含む給湯暖房装置１０の全体の動作を制御する制御手段である。なお、本実施例のコントローラ１４は、一つの独立したユニットではなく、ヒートポンプ４０や給湯暖房ユニット５０に分散配置された複数の電子制御ユニットと、各配管に配置された各種のセンサ等によって構成されている。ここでいう各種のセンサには、温度センサ及び流量センサが含まれる。
【００１９】
貯湯タンク３０は、温水を貯める密閉容器である。貯湯タンク３０の容量は、一例ではあるが５０リットルである。貯湯タンク３０には、貯湯タンク３０へ上水を供給する給水管２８と、貯湯タンク３０から温水を出湯する出湯管２２が接続されている。出湯管２２は、給湯暖房ユニット５０に接続されており、貯湯タンク３０からの温水を給湯暖房ユニット５０に送る。貯湯タンク３０には、複数の温度センサ（図示省略）が高さ方向に沿って配置されている。複数の温度センサはコントローラ１４に接続されており、それらの検出結果に基づいて、コントローラ１４は貯湯タンク３０内の温水温度及び温水量（即ち熱量）を把握することができる。
【００２０】
出湯管２２には、給水バイパス管２６を通じて、給水管２８が接続されている。給水バイパス管２６は、出湯管２２の温水に、給水管２８の上水を混合する。給水バイパス管２６と出湯管２２の接続位置には、給湯側混合弁２４が設けられている。給湯側混合弁２４は、コントローラ１４に接続されており、その動作はコントローラ１４によって制御される。コントローラ１４は、給湯側混合弁２４を制御することにより、貯湯タンク３０からの出湯温度を、ユーザの指定した設定温度まで低下させることができる。
【００２１】
ヒートポンプ４０は、電気を消費して熱を発生する電気式熱源の一種である。ヒートポンプ４０には、商用電源が供給される。ヒートポンプ４０は、大気中から採熱して、貯湯タンク３０の温水を加熱する。ヒートポンプ４０は、蓄熱送り管３２と蓄熱戻り管３４を介して、貯湯タンク３０に接続されている。貯湯タンク３０の温水は、蓄熱送り管３２を通って、ヒートポンプ４０へ送られる。送られた温水は、ヒートポンプ４０において加熱された後に、蓄熱戻り管３４を通って貯湯タンク３０へ戻される。それにより、貯湯タンク３０に温水が貯えられる。なお、貯湯タンク３０の温水は、ヒートポンプ４０だけに限られず、後述する給湯暖房ユニット５０や、燃料電池、発電機、太陽光、電気ヒータといった他の熱源によって加熱される構成であってもよい。
【００２２】
給湯暖房ユニット５０は、都市ガス等の可燃性ガス（単にガスとも称する）を消費して熱を発生するガス式熱源の一種である。前述したように、給湯暖房ユニット５０には、出湯管２２を通じて、貯湯タンク３０からの温水が送られる。ユーザの指定した設定温度に対して、貯湯タンク３０からの温水温度が低い場合、給湯暖房ユニット５０は、バーナ（図示省略）を点火して当該温水を加熱する。加熱された温水は、給湯管１６を通じてカラン等の温水利用箇所に供給される。あるいは、風呂往き管８４を通じて、浴槽９０に供給される。即ち、浴槽９０も温水利用箇所の一つである。
【００２３】
給湯管１６には、給湯バイパス管１８を通じて、出湯管２２が接続されている。給湯バイパス管１８は、出湯管２２の温水を、給湯管１６へ直接的に送ることができる。また、給湯バイパス管１８には、バイパス制御弁２０が設けられている。バイパス制御弁２０は、コントローラ１４に接続されており、その動作はコントローラ１４によって制御される。給湯暖房ユニット５０での加熱が不要であれば、コントローラ１４はバイパス制御弁２０を開弁し、給湯暖房ユニット５０をバイパスさせることができる。それにより、給湯暖房ユニット５０での無用な放熱を避けることができる。また、コントローラ１４は、バイパス制御弁２０の開度を調節し、温水の一部を給湯暖房ユニット５０に送るとともに、他の部分は給湯暖房ユニット５０をバイパスさせることで、給湯温度を細かに調整することもできる。
【００２４】
給湯暖房ユニット５０は、浴槽９０の温水を循環加熱（追い焚き、保温）することもできる。給湯暖房ユニット５０は、風呂戻り管８２と風呂往き管８４を介して、浴槽９０に接続されている。浴槽９０の温水は、風呂戻り管８２を通じて給湯暖房ユニット５０へ送られ、給湯暖房ユニット５０において加熱された後に、風呂往き管８４を通じて浴槽９０に戻される。温水の循環は、給湯暖房ユニット５０の風呂ポンプ（図示省略）によって行われる。なお、給湯暖房装置１０の内部において、浴槽９０の温水を循環させる経路は、衛生面を考慮して、前述した給湯管１６に繋がる経路とは独立して設けられている。
【００２５】
給湯暖房ユニット５０は、暖房端末７０に接続されており、加熱した暖房用熱媒を暖房端末７０に送る。暖房端末７０とは、一例ではあるが、温水床暖房パネルや浴室暖房機である。また、暖房用熱媒は、一例であるが、不凍液である。なお、不凍液等の暖房用熱媒は、厳密には水（上水）とは異なるが、本明細書では便宜上、不凍液等の暖房用熱媒も、熱源（給湯暖房ユニット５０）によって加熱される水の一種として取り扱う。暖房用熱媒は、給湯暖房ユニット５０のバーナにより加熱された後、暖房送り管６０を通じて、暖房端末７０に送られる。暖房端末７０で放熱した暖房用熱媒は、第１暖房戻り管６２を通ってヒートポンプ４０に送られた後、第２暖房戻り管６４を通って給湯暖房ユニット５０に戻される。即ち、ヒートポンプ４０において暖房用熱媒の一次加熱が行われる。なお、第２暖房戻り管６４には、暖房バイパス管６６を通じて、第１暖房戻り管６２が接続されている。暖房バイパス管６６と第２暖房戻り管６４の接続位置には、暖房側混合弁６８が設けられている。暖房側混合弁６８は、コントローラ１４に接続されており、その動作はコントローラ１４によって制御される。例えばヒートポンプ４０の運転が停止している場合、コントローラ１４は、暖房側混合弁６８を制御することにより、暖房端末７０からの暖房用熱媒を給湯暖房ユニット５０へ直接的に送り戻すことができる。
【００２６】
図２は、リモコン１２を示す。リモコン１２は、ユーザが各種の操作を行う操作端末である。図２に示すように、リモコン１２は、電源ボタン１０２及びチェックボタン１０４を含む、複数の操作ボタンを有している。例えば、ユーザが電源ボタン１０２を押すと、給湯暖房装置１０の電源がオンされる。再度、ユーザが電源ボタン１０２を押すと、給湯暖房装置１０の電源がオフされる。その他、ユーザは、リモコン１２を操作することで、現在時刻の設定、給湯設定温度の指定、浴槽９０への自動給湯（いわゆる湯張り）並びにその設定温度及び設定湯量の指定、浴槽９０の温水の加熱（いわゆる追い焚き）、他のリモコン（図示省略）との間での通話といった、各種操作を行うことができる。チェックボタン１０４は、後述する助言情報を表示するための操作ボタンである。
【００２７】
リモコン１２は、表示パネル１００を有している。表示パネル１００は、一例であるが、液晶パネルである。表示パネル１００は、現在時刻、温水の設定温度（給湯設定温度、風呂設定温度、半身浴設定温度）、二つの熱源（ヒートポンプ４０及び給湯暖房ユニット５０）の稼働状況などを表示することができる。
【００２８】
図３に示すように、本実施例のリモコン１２は、さらに、ユーザに対して助言情報を表示することができる。ここでいう助言情報とは、給湯暖房装置１０の使用方法に関して、より良い使い方をユーザに提案する文字情報や図形情報である。この助言情報には、給湯暖房装置１０の使用条件（例えば温水の設定温度、貯湯運転停止機能のオンオフ）の変更等を促す情報が含まれる。詳しくは後述するが、表示される助言情報は、予めコントローラ１４内のメモリ（図示省略）に記憶された複数種類の助言情報のなかから、ユーザが設定している現在の使用条件に応じて選択されたものである。
【００２９】
詳しくは後述するが、本実施例では、ユーザが給湯暖房装置１０の電源をオフする操作を行った場合（図３参照）、又は、ユーザがリモコン１２のチェックボタン１０４を押した場合に、コントローラ１４は、表示パネル１００に助言情報を表示させる。なお、本明細書では、ユーザによる給湯暖房装置１０の電源をオフする操作、及び、ユーザによるリモコン１２のチェックボタン１０４を押す操作を、ひとまとめに「表示許可」と呼ぶ場合がある。
【００３０】
次いで、図３を参照して、ユーザが給湯暖房装置１０の電源をオフする操作を行った場合における、表示パネル１００の表示内容の遷移について説明する。まず、図３の（Ａ）に示すように、ユーザが、リモコン１２を操作して、給湯暖房装置１０の電源をオフする操作を行うと、コントローラ１４は、表示パネル１００にこれから助言情報を表示する旨のメッセージを表示させる。次いで、図３の（Ｂ）に示すように、コントローラ１４は、表示パネル１００に、所定の時間に亘って、助言情報を表示させる。この際に表示される助言情報の内容は、予めメモリ内に記憶された複数種類の助言情報のなかから選択されたものである。助言情報の選択手法については後述する。次いで、図３の（Ｃ）に示すように、コントローラ１４は、表示パネル１００に、電源オフが完了した旨の表示を行う。その後、コントローラ１４は、給湯暖房装置１０の電源を完全にオフにする。
【００３１】
上記の通り、コントローラ１４内のメモリ（図示省略）は、複数種類の助言情報を記憶している。コントローラ１４は、ユーザが設定した現在の使用条件に基づいて、後述の各表示処理（図５〜図９参照）を行って、表示すべき助言情報を選択する。図４は、コントローラ１４内のメモリに記憶された複数種類の助言情報の表示文と表示条件と表示間隔を示す表である。図４に示すように、コントローラ１４内のメモリには、複数種類の助言情報（Ｍ１、Ｍ２ａ、Ｍ２ｂ、Ｍ２ｃ、Ｍ３、Ｍ４、Ｍ５、Ｍ６）が記憶されている。
【００３２】
複数種類の助言情報（Ｍ１、Ｍ２ａ、Ｍ２ｂ、Ｍ２ｃ、Ｍ３、Ｍ４、Ｍ５、Ｍ６）には、それぞれ、表示文と表示条件と表示間隔が対応付けられている。表示文は、実際に表示パネル１００に表示されるメッセージ内容を示す。例えば、助言情報Ｍ１には、表示文「現在時刻を設定してください」が対応付けられている。表示条件は、対応する助言情報が表示されるための条件を示す。例えば、助言情報Ｍ１には、表示条件「現在時刻が設定されていない」が対応付けられている。表示間隔は、対応する助言情報を最後に表示してから、次回同じ助言情報を再表示するまでに経過すべき期間を示す。仮に助言情報の表示条件が満たされる場合であっても、最後に当該助言情報を表示してから表示間隔が経過するまでの間は、当該助言情報の表示が認められない。例えば、助言情報Ｍ２ａには、表示間隔「１０日間」が対応付けられている。即ち、最後に当該助言情報Ｍ２ａが表示されてから１０日間が経過するまでの間は、助言情報Ｍ２ａの再表示は認められない。一方、助言情報Ｍ１には、表示間隔「なし」が対応付けられている。即ち、助言情報Ｍ１については、助言情報Ｍ１の表示条件が満たされれば、表示間隔に関わらず、助言情報Ｍ１の再表示が認められる。
【００３３】
続いて、助言情報Ｍ１、Ｍ２ａ、Ｍ２ｂ、Ｍ２ｃ、Ｍ３、Ｍ４、Ｍ５、Ｍ６のそれぞれについて詳しく説明する。
【００３４】
（助言情報Ｍ１）
図４に示すように、助言情報Ｍ１には、表示文「現在時刻を設定してください」、表示条件「現在時刻が設定されていない」、表示間隔「なし」が対応付けられている。本実施例の給湯暖房装置１０では、現在時刻を設定し、設定した現在時刻を利用して給湯暖房装置１０の運転を制御すれば、現在時刻を設定せずに給湯暖房装置１０を運転する場合に比べて給湯暖房装置１０を効率的に運転することができる。コントローラ１４は、ユーザによって現在時刻が設定されていない場合に、助言情報Ｍ１を表示パネル１００に表示することにより、ユーザに対して、現在時刻を設定することを助言することができる。助言情報Ｍ１を見たユーザが現在時刻を設定すれば、ユーザの費用面のメリットが大きくなる。なお、助言情報Ｍ１は、表示間隔「なし」が対応付けられている。そのため、ユーザによって現在時刻が設定されていない場合に、表示間隔に関わらず助言情報Ｍ１を優先的に表示し得る。
【００３５】
（助言情報Ｍ２ａ）
図４に示すように、助言情報Ｍ２ａには、表示文「給湯設定温度を４３℃以下にすると、光熱費の節約につながります」、表示条件「給湯設定温度が４３℃より高い」、表示間隔「１０日間」が対応付けられている。ここで、給湯設定温度とは、給湯管１６から供給される温水の設定温度である。給湯設定温度を４３℃以下に設定して給湯暖房装置１０を運転させる場合、給湯設定温度を４３℃よりも高い温度に設定して給湯暖房装置１０を運転させる場合に比べて、給湯暖房装置１０を効率的に運転することができる。コントローラ１４は、給湯設定温度が４３℃よりも高い場合に、助言情報Ｍ２ａを表示パネル１００に表示することにより、ユーザに対して、給湯設定温度を４３℃以下に変更することを助言することができる。助言情報Ｍ２ａを見たユーザが給湯設定温度を４３℃以下に変更すれば、ユーザの費用面のメリットが大きくなる。
【００３６】
（助言情報Ｍ２ｂ）
図４に示すように、助言情報Ｍ２ｂには、表示文「風呂設定温度を４３℃以下にすると、光熱費の節約につながります」、表示条件「風呂設定温度が４３℃より高い」、表示間隔「１０日間」が対応付けられている。ここで、風呂設定温度とは、浴槽９０に供給される温水の設定温度である。上記給湯設定温度の場合と同様に、風呂設定温度を４３℃以下に設定して給湯暖房装置１０を運転させれば、風呂設定温度を４３℃よりも高い温度に設定して給湯暖房装置１０を運転させる場合に比べて、給湯暖房装置１０を効率的に運転することができる。助言情報Ｍ２ｂを見たユーザが風呂設定温度を４３℃以下に変更すれば、ユーザの費用面のメリットが大きくなる。
【００３７】
（助言情報Ｍ２ｃ）
図４に示すように、助言情報Ｍ２ｃには、表示文「半身浴設定温度を４３℃以下にすると、光熱費の節約につながります」、表示条件「半身浴設定温度が４３℃より高い」、表示間隔「１０日間」が対応付けられている。ここで、半身浴設定温度とは、半身浴を行うために浴槽９０に供給される温水の設定温度である。上記給湯設定温度の場合と同様に、半身浴設定温度を４３℃以下に設定して給湯暖房装置１０を運転させれば、半身浴設定温度を４３℃よりも高い温度に設定して給湯暖房装置１０を運転させる場合に比べて、給湯暖房装置１０を効率的に運転することができる。助言情報Ｍ２ｃを見たユーザが半身浴設定温度を４３℃以下に変更すれば、ユーザの費用面のメリットが大きくなる。
【００３８】
なお、以下では、上記の給湯設定温度、風呂設定温度、半身浴設定温度をまとめて「温水の設定温度」と呼ぶ場合がある。同様に、助言情報Ｍ２ａ、Ｍ２ｂ、Ｍ２ｃをまとめて「助言情報Ｍ２」と呼ぶ場合がある。
【００３９】
（助言情報Ｍ３）
図４に示すように、助言情報Ｍ３には、表示文「長期不在の場合は、留守番モードをご利用頂くと光熱費の節約につながります」、表示条件「貯湯停止機能オフ、かつ、２日連続出湯履歴あり、かつ、４８時間以上未出湯」、表示間隔「１０日間」が対応付けられている。ここで、貯湯停止機能とは、給湯暖房ユニット５０又はヒートポンプ４０を作動させて加熱した温水を貯湯タンク３０に蓄える貯湯運転をユーザの指示に従って停止する機能である。即ち、給湯暖房装置１０の状態が「貯湯停止機能オフ」である場合、貯湯運転の停止が指示されておらず、給湯暖房装置１０は貯湯運転を継続して実行する。例えば、ユーザが長期間外出する場合のように、長期間貯湯タンク３０内の温水が使用されない場合においては、貯湯運転を停止しておく方が、貯湯運転を継続して実行する場合に比べて、給湯暖房装置１０を効率的に運転することができる。コントローラ１４は、給湯暖房装置１０の貯湯停止機能がオフであり、かつ、過去に２日連続出湯を行った実績があり、かつ、４８時間以上未出湯状態が続いた場合に、助言情報Ｍ３を表示パネル１００に表示することにより、ユーザに対して、長期間外出する際に、貯湯停止機能をオンしておくことを助言することができる。助言情報Ｍ３を見たユーザが、次回の長期間外出の際に、貯湯停止機能をオンすれば、ユーザの費用面のメリットが大きくなる。
【００４０】
（助言情報Ｍ４）
図４に示すように、助言情報Ｍ４には、表示文「自動湯張り後の保温時間は、生活パターンに合わせて設定することができます」、表示条件「保温時間が４時間より長い」、表示間隔「１０日間」が対応付けられている。ここで、保温時間とは、浴槽９０に所定量の温水を供給（湯張り）した後、浴槽９０内の温水の温度を設定温度に保つための保温運転を継続して行う時間である。保温時間を４時間以下に設定して給湯暖房装置１０を運転させる場合、保温時間を４時間よりも長い時間に設定して給湯暖房装置１０を運転させる場合に比べて、給湯暖房装置１０を効率的に運転することができる。コントローラ１４は、ユーザによって設定された保温時間が４時間より長い場合に、助言情報Ｍ４を表示パネル１００に表示することにより、ユーザに対して、保温時間を変更することを助言することができる。助言情報Ｍ４を見たユーザが保温時間を４時間以下に変更すれば、ユーザの費用面のメリットが大きくなる。
【００４１】
（助言情報Ｍ５）
図４に示すように、助言情報Ｍ５には、表示文「省電力モードをご利用頂くと消費電力を減らす事ができます」、表示条件「継続点灯時間が２０分より長い」、表示間隔「１０日間」が対応付けられている。ここで、継続点灯時間とは、表示パネル１００に情報が表示される場合における、表示パネル１００に内蔵された照明手段（バックライト等）の継続点灯時間である。照明手段の継続点灯時間を２０分以下に設定して給湯暖房装置１０を運転させる場合、継続点灯時間を２０分より長い時間に設定して給湯暖房装置１０を運転させる場合に比べて、給湯暖房装置１０を効率的に運転することができる。コントローラ１４は、ユーザによって設定された継続点灯時間が２０分より長い場合に、助言情報Ｍ５を表示パネル１００に表示することにより、ユーザに対して、継続点灯時間を変更することを助言することができる。助言情報Ｍ５を見たユーザが継続点灯時間を２０分以下に変更すれば、ユーザの費用面のメリットが大きくなる。
【００４２】
（助言情報Ｍ６）
図４に示すように、助言情報Ｍ６には、表示文「今日と昨日の光熱費です    昨日＊＊＊円、今日＊＊＊円」、表示条件「助言情報Ｍ１〜Ｍ５のいずれも表示されない場合」、表示間隔「なし」が対応付けられている。ここで、「＊＊＊円」で表示される部分には、実際に算出された昨日の光熱費と今日の光熱費とが記述される。例えば、ユーザが適切な運転条件を設定して給湯暖房装置１０を運転させている場合には、助言情報Ｍ１〜Ｍ５のいずれの表示条件も満たされない可能性が高い。また、助言情報Ｍ２〜Ｍ５のいずれについても、表示間隔（１０日間）が未経過の場合もある。そのような場合に、コントローラ１４は、給湯暖房装置１０の使用方法に関する助言情報Ｍ１〜Ｍ５に代えて、助言情報Ｍ６を表示パネル１００に表示することにより、ユーザに対して実際の光熱費を知らせることができる。助言情報Ｍ６を見たユーザが効率の良い運転を心がければ、ユーザの費用面のメリットが引き続き大きくなる。
【００４３】
（助言情報を表示させるための各処理）
次いで、本実施例の給湯暖房装置１０のコントローラ１４が、表示パネル１００に助言情報を表示させるために実行する各処理（図５〜図９参照）について説明する。本実施例では、給湯暖房装置１０の電源がオンされると、コントローラ１４は、第１表示処理（図５）、第２表示処理（図６）、第３表示処理（図７）、第４表示処理（図８）、第５表示処理（図９）の各処理を同時に実行する。以下、各処理の内容を説明する。
【００４４】
（第１表示処理）
図５に示す第１表示処理は、助言情報Ｍ１（図４参照）を表示パネル１００に表示させるための処理である。コントローラ１４は、給湯暖房装置１０の電源がオンされると、図５の第１表示処理を開始する。Ｓ１０では、コントローラ１４は、給湯暖房装置１０に現在時刻が設定されていない状態か否かを確認する。ユーザによって現在時刻が設定されていない場合、コントローラ１４は、Ｓ１０でＹＥＳ（即ち、助言情報Ｍ１の表示条件を満たしている）と判断し、Ｓ１２に進む。一方、現在時刻が既に設定されている場合、コントローラ１４は、Ｓ１０でＮＯ（即ち、助言情報Ｍ１の表示条件を満たしていない）と判断する。この場合、コントローラ１４は、Ｓ１０の判断を繰り返し行う。
【００４５】
Ｓ１２では、コントローラ１４は、助言情報Ｍ１を表示待機させる。具体的に言うと、Ｓ１２では、コントローラ１４は、助言情報Ｍ１を表示するためのフラグをメモリの所定領域内に記憶させる。
【００４６】
次いで、Ｓ１４では、コントローラ１４は、節約金額Ｅ１が他の節約金額（後述の節約金額Ｅ２、Ｅ３、Ｅ４、Ｅ５）と比べて最大であるか否かを判断する。節約金額Ｅ１は、現在時刻を設定して給湯暖房装置１０を運転することによって生じる節約分の金額である。言い換えると、節約金額Ｅ１は、現在時刻を設定して給湯暖房装置１０を運転することによってユーザが得られる費用面のメリットである。
【００４７】
本実施例では、コントローラ１４は、以下の数式に従って節約金額Ｅ１を算出する。
節約金額Ｅ１＝｛（ユーザが１日に必要とするエネルギー使用量）／（現在時刻が設定されていない場合の運転効率）−（ユーザが１日に必要とするエネルギー使用量）／（現在時刻が設定されている場合の運転効率）｝×エネルギー単価
【００４８】
上記の数式において、現在時刻が設定されていない場合の運転効率の値は予め決められており、例えば「０．６」である。また、現在時刻が設定されている場合の運転効率の値も予め決められており、例えば「１．０」である。現在時刻が設定されていない場合の運転効率の値は現在時刻が設定されている場合の運転効率の値よりも小さい。ユーザが１日に必要とするエネルギー使用量（電気使用量、及び、ガス使用量）は、過去７日分のユーザのエネルギー使用量の平均値である。エネルギー単価（電気単価、ガス単価）は、単位量当たりのエネルギーの価格を示す。
【００４９】
コントローラ１４は、節約金額Ｅ１を算出する場合、まず、電気の節約金額とガスの節約金額をそれぞれ算出する。コントローラ１４は、電気の節約金額とガスの節約金額とを合計することにより、節約金額Ｅ１を算出する。
【００５０】
節約金額Ｅ１が他の節約金額（後述の節約金額Ｅ２、Ｅ３、Ｅ４、Ｅ５）と比べて最大である場合、コントローラ１４は、Ｓ１４でＹＥＳと判断し、Ｓ１６に進む。一方、節約金額Ｅ１よりも大きい他の節約金額が存在する場合、コントローラ１４は、Ｓ１４でＮＯと判断し、Ｓ１０に戻る。この際、コントローラ１４は、Ｓ１２でメモリに記憶させた助言情報Ｍ１を表示するためのフラグをメモリから削除する。
【００５１】
Ｓ１６では、コントローラ１４は、表示許可が行われることを監視する。Ｓ１６の時点で、表示許可が行われている場合（即ち、電源オフ操作とリモコン１２のチェックボタン１０４を押す操作のいずれかが行われている場合）、コントローラ１４は、Ｓ１６でＹＥＳと判断し、Ｓ１８に進む。一方、Ｓ１６の時点で、表示許可が行われていない場合、コントローラ１４は、Ｓ１６でＮＯと判断し、Ｓ１０に戻る。この際、コントローラ１４は、Ｓ１２でメモリに記憶させた助言情報Ｍ１を表示するためのフラグをメモリから削除する。
【００５２】
Ｓ１８では、コントローラ１４は、助言情報Ｍ１を表示パネル１００に表示する。即ち、表示パネル１００には、助言情報Ｍ１に対応する表示文（「現在時刻を設定してください」）が表示される。コントローラ１４は、所定時間に亘って助言情報Ｍ１を表示させると、助言情報Ｍ１の表示を終了する。Ｓ１６で電源オフ操作が行われている場合、コントローラ１４は、給湯暖房装置１０の電源をオフする。この場合、第１〜第５表示処理（図５〜図９）がすべて終了する。一方、Ｓ１６でチェックボタン１０４を押す操作が行われている場合、コントローラ１４は、Ｓ１０に戻る。この際、コントローラ１４は、Ｓ１２でメモリに記憶させた助言情報Ｍ１を表示するためのフラグをメモリから削除する。
【００５３】
（第２表示処理）
図６に示す第２表示処理は、助言情報Ｍ２（図４参照）を表示パネル１００に表示させるための処理である。コントローラ１４は、給湯暖房装置１０の電源がオンされると、図６の第２表示処理を開始する。Ｓ３０では、コントローラ１４は、温水の設定温度（給湯設定温度、風呂設定温度、半身浴設定温度のいずれか）が４３℃より高いか否かを確認する。温水の設定温度（給湯設定温度、風呂設定温度、半身浴設定温度のいずれか）が４３℃より高い場合、コントローラ１４は、Ｓ３０でＹＥＳ（即ち、助言情報Ｍ２の表示条件を満たしている）と判断し、Ｓ３２に進む。なお、Ｓ３０において、助言情報Ｍ２ａ、Ｍ２ｂ、Ｍ２ｃの各表示条件が２つ以上同時に満たされている場合、コントローラ１４は、助言情報Ｍ２ａ、Ｍ２ｂ、Ｍ２ｃの順に従ってＳ３０の判断を行う。従って、例えば、Ｓ３０において、助言情報Ｍ２ａ、Ｍ２ｂの各表示条件が同時に満たされる場合、コントローラ１４は、助言情報Ｍ２ａの表示条件が満たされていると判断し、Ｓ３２に進む。一方、温水の設定温度（給湯設定温度、風呂設定温度、半身浴設定温度のいずれも）が４３℃以下に設定されている場合、コントローラ１４は、Ｓ３０でＮＯと判断する。この場合、コントローラ１４は、Ｓ３０の判断を繰り返し行う。
【００５４】
Ｓ３２では、前回助言情報Ｍ２を表示してから１０日間（図４の表示間隔）が経過しているか否か判断する。前回助言情報Ｍ２（例えば助言情報Ｍ２ａ）を表示してから１０日間以上経過している場合、コントローラ１４は、Ｓ３２でＹＥＳと判断し、Ｓ３４に進む。一方、前回助言情報Ｍ２（例えば助言情報Ｍ２ａ）を表示してから１０日間経過していない場合、コントローラ１４は、Ｓ３２でＮＯと判断し、Ｓ３０に戻る。
【００５５】
Ｓ３４では、コントローラ１４は、助言情報Ｍ２（例えば助言情報Ｍ２ａ）を表示待機させる。具体的に言うと、Ｓ３４では、コントローラ１４は、助言情報Ｍ２を表示するためのフラグをメモリの所定領域内に記憶させる。
【００５６】
次いで、Ｓ３６では、コントローラ１４は、節約金額Ｅ２が他の節約金額（節約金額Ｅ１、Ｅ３、Ｅ４、Ｅ５）と比べて最大であるか否かを判断する。節約金額Ｅ２は、現在の温水の設定温度（例えば給湯設定温度）を４３℃以下に変更することによって生じる節約分の金額である。言い換えると、節約金額Ｅ２は、現在の温水の設定温度（例えば給湯設定温度）を４３℃以下に変更することによってユーザが得られる費用面のメリットである。
【００５７】
本実施例では、コントローラ１４は、以下の数式に従って節約金額Ｅ２を算出する。
節約金額Ｅ２＝｛（ユーザが１日に必要とするエネルギー使用量）／（温水の設定温度が４３℃より高い温度に設定されている場合の運転効率）−（ユーザが１日に必要とするエネルギー使用量）／（温水の設定温度が４３℃以下に設定されている場合の運転効率）｝×エネルギー単価
【００５８】
上記の数式において、温水の設定温度が４３℃より高い温度に設定されている場合の運転効率の値は、設定温度に応じて予め決められている。例えば、設定温度が４５℃の場合の運転効率の値は「０．９」、設定温度が５０℃の場合の運転効率の値は「０．７」、設定温度が６０℃の場合の運転効率の値は「０．５」にそれぞれ決められている。また、温水の設定温度が４３℃以下に設定されている場合の運転効率の値も予め決められており、例えば「１．０」である。温水の設定温度が４３℃より高い温度に設定されている場合の運転効率の値は、温水の設定温度が４３℃以下に設定されている場合の運転効率の値よりも小さい。
【００５９】
コントローラ１４は、節約金額Ｅ２を算出する場合にも、まず、電気の節約金額とガスの節約金額をそれぞれ算出する。コントローラ１４は、電気の節約金額とガスの節約金額とを合計することにより、節約金額Ｅ２を算出する。
【００６０】
節約金額Ｅ２が他の節約金額（節約金額Ｅ１、Ｅ３、Ｅ４、Ｅ５）と比べて最大である場合、コントローラ１４は、Ｓ３６でＹＥＳと判断し、Ｓ３８に進む。一方、節約金額Ｅ２よりも大きい他の節約金額が存在する場合、コントローラ１４は、Ｓ３６でＮＯと判断し、Ｓ３０に戻る。この際、コントローラ１４は、Ｓ３４でメモリに記憶させた助言情報Ｍ２を表示するためのフラグをメモリから削除する。
【００６１】
Ｓ３８では、コントローラ１４は、表示許可が行われることを監視する。Ｓ３８の時点で、表示許可が行われている場合（即ち、電源オフ操作とリモコン１２のチェックボタン１０４を押す操作のいずれかが行われている場合）、コントローラ１４は、Ｓ３８でＹＥＳと判断し、Ｓ４０に進む。一方、Ｓ３８の時点で、表示許可が行われていない場合、コントローラ１４は、Ｓ３８でＮＯと判断し、Ｓ３０に戻る。この際、コントローラ１４は、Ｓ３４でメモリに記憶させた助言情報Ｍ２を表示するためのフラグをメモリから削除する。
【００６２】
Ｓ４０では、コントローラ１４は、助言情報Ｍ２（例えば助言情報Ｍ２ａ）を表示パネル１００に表示する。即ち、表示パネル１００には、助言情報Ｍ２（例えば助言情報Ｍ２ａ）に対応する表示文（例えば「給湯設定温度を４３℃以下にすると、光熱費の節約につながります」）が表示される。コントローラ１４は、所定時間に亘って助言情報Ｍ２を表示させると、助言情報Ｍ２の表示を終了する。Ｓ３８で電源オフ操作が行われている場合、コントローラ１４は、給湯暖房装置１０の電源をオフする。この場合、第１〜第５表示処理（図５〜図９）がすべて終了する。一方、Ｓ３８でチェックボタン１０４を押す操作が行われている場合、コントローラ１４は、Ｓ３０に戻る。この際、コントローラ１４は、Ｓ３４でメモリに記憶させた助言情報Ｍ２を表示するためのフラグをメモリから削除する。
【００６３】
（第３表示処理）
図７に示す第３表示処理は、助言情報Ｍ３（図４参照）を表示パネル１００に表示させるための処理である。コントローラ１４は、給湯暖房装置１０の電源がオンされると、図７の第３表示処理を開始する。Ｓ５０では、コントローラ１４は、給湯暖房装置１０の貯湯停止機能がオフであり、かつ、過去に２日連続出湯を行った実績があり、かつ、４８時間以上未出湯状態が続いているか否かを確認する。貯湯停止機能がオフであり、かつ、過去に２日連続出湯を行った実績があり、かつ、４８時間以上未出湯状態が続いている場合、コントローラ１４は、Ｓ５０でＹＥＳ（即ち、助言情報Ｍ３の表示条件を満たしている）と判断し、Ｓ５２に進む。一方、Ｓ５０でＮＯの場合（助言情報Ｍ３の表示条件を満たさない場合）、コントローラ１４は、Ｓ５０の判断を繰り返し行う。
【００６４】
Ｓ５２では、前回助言情報Ｍ３を表示してから１０日間（図４の表示間隔）が経過しているか否か判断する。前回助言情報Ｍ３を表示してから１０日間以上経過している場合、コントローラ１４は、Ｓ５２でＹＥＳと判断し、Ｓ５４に進む。一方、前回助言情報Ｍ３を表示してから１０日間経過していない場合、コントローラ１４は、Ｓ５２でＮＯと判断し、Ｓ５０に戻る。
【００６５】
Ｓ５４では、コントローラ１４は、助言情報Ｍ３を表示待機させる。具体的に言うと、Ｓ５４では、コントローラ１４は、助言情報Ｍ３を表示するためのフラグをメモリの所定領域内に記憶させる。
【００６６】
次いで、Ｓ５６では、コントローラ１４は、節約金額Ｅ３が他の節約金額（節約金額Ｅ１、Ｅ２、Ｅ４、Ｅ５）と比べて最大であるか否かを判断する。節約金額Ｅ３は、貯湯停止機能をオンすることによって生じる節約分の金額（貯湯停止機能をオンすることによってユーザが得られる費用面のメリット）である。
【００６７】
本実施例では、コントローラ１４は、以下の数式に従って節約金額Ｅ３を算出する。
節約金額Ｅ３＝（長期間外出期間中に貯湯し、使わずに放熱されたエネルギー量）×エネルギー単価
【００６８】
上記の数式において、長期間外出期間中に貯湯し、使わずに放熱されたエネルギー量は、実際に温水が不使用であった期間中に放熱されたエネルギー量である。
【００６９】
コントローラ１４は、節約金額Ｅ３を算出する場合にも、まず、電気の節約金額とガスの節約金額をそれぞれ算出する。コントローラ１４は、電気の節約金額とガスの節約金額とを合計することにより、節約金額Ｅ３を算出する。
【００７０】
節約金額Ｅ３が他の節約金額（節約金額Ｅ１、Ｅ２、Ｅ４、Ｅ５）と比べて最大である場合、コントローラ１４は、Ｓ５６でＹＥＳと判断し、Ｓ５８に進む。一方、節約金額Ｅ３よりも大きい他の節約金額が存在する場合、コントローラ１４は、Ｓ５６でＮＯと判断し、Ｓ５０に戻る。この際、コントローラ１４は、Ｓ５４でメモリに記憶させた助言情報Ｍ３を表示するためのフラグをメモリから削除する。
【００７１】
Ｓ５８では、コントローラ１４は、表示許可が行われることを監視する。Ｓ５８の時点で、表示許可が行われている場合（即ち、電源オフ操作とリモコン１２のチェックボタン１０４を押す操作のいずれかが行われている場合）、コントローラ１４は、Ｓ５８でＹＥＳと判断し、Ｓ６０に進む。一方、Ｓ５８の時点で、表示許可が行われていない場合、コントローラ１４は、Ｓ５８でＮＯと判断し、Ｓ５０に戻る。この際、コントローラ１４は、Ｓ５４でメモリに記憶させた助言情報Ｍ３を表示するためのフラグをメモリから削除する。
【００７２】
Ｓ６０では、コントローラ１４は、助言情報Ｍ３を表示パネル１００に表示する。即ち、表示パネル１００には、助言情報Ｍ３に対応する表示文（「長期不在の場合は、留守番モードをご利用頂くと光熱費の節約につながります」）が表示される。コントローラ１４は、所定時間に亘って助言情報Ｍ３を表示させると、助言情報Ｍ３の表示を終了する。Ｓ５８で電源オフ操作が行われている場合、コントローラ１４は、給湯暖房装置１０の電源をオフする。この場合、第１〜第５表示処理（図５〜図９）がすべて終了する。一方、Ｓ５８でチェックボタン１０４を押す操作が行われている場合、コントローラ１４は、Ｓ５０に戻る。この際、コントローラ１４は、Ｓ５４でメモリに記憶させた助言情報Ｍ３を表示するためのフラグをメモリから削除する。
【００７３】
（第４表示処理）
図８に示す第４表示処理は、助言情報Ｍ４（図４参照）を表示パネル１００に表示させるための処理である。コントローラ１４は、給湯暖房装置１０の電源がオンされると、図８の第４表示処理を開始する。Ｓ７０では、コントローラ１４は、ユーザによって設定されている保温時間が４時間より長いか否かを確認する。保温時間が４時間より長い場合、コントローラ１４は、Ｓ７０でＹＥＳ（即ち、助言情報Ｍ４の表示条件を満たしている）と判断し、Ｓ７２に進む。一方、Ｓ７０でＮＯの場合（助言情報Ｍ４の表示条件を満たさない場合）、コントローラ１４は、Ｓ７０の判断を繰り返し行う。
【００７４】
Ｓ７２では、前回助言情報Ｍ４を表示してから１０日間（図４の表示間隔）が経過しているか否か判断する。前回助言情報Ｍ４を表示してから１０日間以上経過している場合、コントローラ１４は、Ｓ７２でＹＥＳと判断し、Ｓ７４に進む。一方、前回助言情報Ｍ４を表示してから１０日間経過していない場合、コントローラ１４は、Ｓ７２でＮＯと判断し、Ｓ７０に戻る。
【００７５】
Ｓ７４では、コントローラ１４は、助言情報Ｍ４を表示待機させる。具体的に言うと、Ｓ７４では、コントローラ１４は、助言情報Ｍ４を表示するためのフラグをメモリの所定領域内に記憶させる。
【００７６】
次いで、Ｓ７６では、コントローラ１４は、節約金額Ｅ４が他の節約金額（節約金額Ｅ１、Ｅ２、Ｅ３、Ｅ５）と比べて最大であるか否かを判断する。節約金額Ｅ４は、現在の保温時間を４時間以下に変更することによって生じる節約分の金額（現在の保温時間を４時間以下に変更することによって生じる費用面のメリット）である。
【００７７】
本実施例では、コントローラ１４は、以下の数式に従って節約金額Ｅ４を算出する。
節約金額Ｅ４＝｛（現在の保温時間（４時間より長い）におけるエネルギー使用量）−（保温時間が４時間の場合のエネルギー使用量）｝×エネルギー単価
【００７８】
上記の数式における、現在の保温時間（４時間より長い）におけるエネルギー使用量は、保温運転を行う場合の単位時間当たりにおけるエネルギー使用量に現在の保温時間を乗じて算出される。
【００７９】
コントローラ１４は、節約金額Ｅ４を算出する場合にも、まず、電気の節約金額とガスの節約金額をそれぞれ算出する。コントローラ１４は、電気の節約金額とガスの節約金額とを合計することにより、節約金額Ｅ４を算出する。
【００８０】
節約金額Ｅ４が他の節約金額（節約金額Ｅ１、Ｅ２、Ｅ３、Ｅ５）と比べて最大である場合、コントローラ１４は、Ｓ７６でＹＥＳと判断し、Ｓ７８に進む。一方、節約金額Ｅ４よりも大きい他の節約金額が存在する場合、コントローラ１４は、Ｓ７６でＮＯと判断し、Ｓ７０に戻る。この際、コントローラ１４は、Ｓ７４でメモリに記憶させた助言情報Ｍ４を表示するためのフラグをメモリから削除する。
【００８１】
Ｓ７８では、コントローラ１４は、表示許可が行われることを監視する。Ｓ７８の時点で、表示許可が行われている場合（即ち、電源オフ操作とリモコン１２のチェックボタン１０４を押す操作のいずれかが行われている場合）、コントローラ１４は、Ｓ７８でＹＥＳと判断し、Ｓ８０に進む。一方、Ｓ７８の時点で、表示許可が行われていない場合、コントローラ１４は、Ｓ７８でＮＯと判断し、Ｓ７０に戻る。この際、コントローラ１４は、Ｓ７４でメモリに記憶させた助言情報Ｍ４を表示するためのフラグをメモリから削除する。
【００８２】
Ｓ８０では、コントローラ１４は、助言情報Ｍ４を表示パネル１００に表示する。即ち、表示パネル１００には、助言情報Ｍ４に対応する表示文（「自動湯張り後の保温時間は、生活パターンに合わせて設定することができます」）が表示される。コントローラ１４は、所定時間に亘って助言情報Ｍ４を表示させると、助言情報Ｍ４の表示を終了する。Ｓ７８で電源オフ操作が行われている場合、コントローラ１４は、給湯暖房装置１０の電源をオフする。この場合、第１〜第５表示処理（図５〜図９）がすべて終了する。一方、Ｓ７８でチェックボタン１０４を押す操作が行われている場合、コントローラ１４は、Ｓ７０に戻る。この際、コントローラ１４は、Ｓ７４でメモリに記憶させた助言情報Ｍ４を表示するためのフラグをメモリから削除する。
【００８３】
（第５表示処理）
図９に示す第５表示処理は、助言情報Ｍ５（図４参照）を表示パネル１００に表示させるための処理である。コントローラ１４は、給湯暖房装置１０の電源がオンされると、図９の第５表示処理を開始する。Ｓ９０では、コントローラ１４は、ユーザによって設定されている継続点灯時間が２０分より長いか否かを確認する。継続点灯時間が２０分より長い場合、コントローラ１４は、Ｓ９０でＹＥＳ（即ち、助言情報Ｍ５の表示条件を満たしている）と判断し、Ｓ９２に進む。一方、Ｓ９０でＮＯの場合（助言情報Ｍ５の表示条件を満たさない場合）、コントローラ１４は、Ｓ９０の判断を繰り返し行う。
【００８４】
Ｓ９２では、前回助言情報Ｍ５を表示してから１０日間（図４の表示間隔）が経過しているか否か判断する。前回助言情報Ｍ５を表示してから１０日間以上経過している場合、コントローラ１４は、Ｓ９２でＹＥＳと判断し、Ｓ９４に進む。一方、前回助言情報Ｍ５を表示してから１０日間経過していない場合、コントローラ１４は、Ｓ９２でＮＯと判断し、Ｓ９０に戻る。
【００８５】
Ｓ９４では、コントローラ１４は、助言情報Ｍ５を表示待機させる。具体的に言うと、Ｓ９４では、コントローラ１４は、助言情報Ｍ５を表示するためのフラグをメモリの所定領域内に記憶させる。
【００８６】
次いで、Ｓ９６では、コントローラ１４は、節約金額Ｅ５が他の節約金額（節約金額Ｅ１、Ｅ２、Ｅ３、Ｅ４）と比べて最大であるか否かを判断する。節約金額Ｅ５は、現在の継続点灯時間を２０分以下に変更することによって生じる節約分の金額（現在の継続点灯時間を２０分以下に変更することによって生じる費用面のメリット）である。
【００８７】
本実施例では、コントローラ１４は、以下の数式に従って節約金額Ｅ５を算出する。
節約金額Ｅ５＝｛（現在の継続点灯時間における電気使用量）−（継続点灯時間が２０分の場合の電気使用量）｝×電気単価
【００８８】
コントローラ１４は、節約金額Ｅ５を算出する場合には、電気の節約金額のみを節約金額Ｅ５として算出する。
【００８９】
節約金額Ｅ５が他の節約金額（節約金額Ｅ１、Ｅ２、Ｅ３、Ｅ４）と比べて最大である場合、コントローラ１４は、Ｓ９６でＹＥＳと判断し、Ｓ９８に進む。一方、節約金額Ｅ５よりも大きい他の節約金額が存在する場合、コントローラ１４は、Ｓ９６でＮＯと判断し、Ｓ９０に戻る。この際、コントローラ１４は、Ｓ９４でメモリに記憶させた助言情報Ｍ５を表示するためのフラグをメモリから削除する。
【００９０】
Ｓ９８では、コントローラ１４は、表示許可が行われることを監視する。Ｓ９８の時点で、表示許可が行われている場合（即ち、電源オフ操作とリモコン１２のチェックボタン１０４を押す操作のいずれかが行われている場合）、コントローラ１４は、Ｓ９８でＹＥＳと判断し、Ｓ１００に進む。一方、Ｓ９８の時点で、表示許可が行われていない場合、コントローラ１４は、Ｓ９８でＮＯと判断し、Ｓ９０に戻る。この際、コントローラ１４は、Ｓ９４でメモリに記憶させた助言情報Ｍ５を表示するためのフラグをメモリから削除する。
【００９１】
Ｓ１００では、コントローラ１４は、助言情報Ｍ５を表示パネル１００に表示する。即ち、表示パネル１００には、助言情報Ｍ５に対応する表示文（「省電力モードをご利用頂くと消費電力を減らす事ができます」）が表示される。コントローラ１４は、所定時間に亘って助言情報Ｍ５を表示させると、助言情報Ｍ５の表示を終了する。Ｓ９８で電源オフ操作が行われている場合、コントローラ１４は、給湯暖房装置１０の電源をオフする。この場合、第１〜第５表示処理（図５〜図９）がすべて終了する。一方、Ｓ９８でチェックボタン１０４を押す操作が行われている場合、コントローラ１４は、Ｓ９０に戻る。この際、コントローラ１４は、Ｓ９４でメモリに記憶させた助言情報Ｍ５を表示するためのフラグをメモリから削除する。
【００９２】
以上、第１〜第５表示処理の内容について説明した。図５〜図９には示していないが、本実施例では、ユーザによって表示許可が行われた場合（即ち、電源オフ操作とリモコン１２のチェックボタン１０４を押す操作のいずれかが行われた場合）において、助言情報Ｍ１〜Ｍ５のいずれも表示されない場合には、コントローラ１４は、助言情報Ｍ６（図４参照）を表示パネル１００に表示する。即ち、表示パネル１００には、助言情報Ｍ６に対応する表示文（「今日と昨日の光熱費です    昨日＊＊＊円、今日＊＊＊円」）が表示される。「＊＊＊円」で表示される部分には、実際に算出された昨日の光熱費と今日の光熱費とが記述される。
【００９３】
以上、本実施例の給湯暖房装置１０の構成、及び、コントローラ１４が実行する各処理の内容について説明した。本実施例の給湯暖房装置１０によると、表示パネル１００に表示させるべき複数の助言情報が存在する場合に（図５のＳ１０でＹＥＳ、図６のＳ３２でＹＥＳ、図７のＳ５２でＹＥＳ、図８のＳ７２でＹＥＳ、図９のＳ９２でＹＥＳの各場合のうち２つ以上の場合）、現在の設定値を所定の値に変更することによって生じる節約金額が最大である助言情報を優先的に表示パネル１００に表示させることができる。そのため、ユーザは、費用面のメリットの大きい助言情報を優先的に見ることができる。従って、上記の給湯暖房装置１０によると、ユーザにとって有用な複数の助言情報を適切に表示パネル１００に表示させることができる。
【００９４】
本実施例では、コントローラ１４は、実際の給湯暖房装置１０の使用状況に基づいて計算を行って節約金額Ｅ１〜Ｅ５を算出している（図５のＳ１４、図６のＳ３６、図７のＳ５６、図８のＳ７６、図９のＳ９６）。そのため、本実施例の給湯暖房装置１０は、ユーザによる給湯暖房装置１０の実際の使用状況に基づいて算出された節約金額に基づいて、表示パネル１００に表示させる助言情報を選択することができる。即ち、本実施例の給湯暖房装置１０は、ユーザによる給湯暖房装置１０の実際の使用状況に基づいて、複数の助言情報を表示パネル１００に表示させる際の優先順位を決定することができる。
【００９５】
本実施例と請求項の記載の対応関係を説明しておく。給湯暖房装置１０が「温水供給装置」の一例である。給湯暖房ユニット５０、ヒートポンプ４０が、「熱源」の一例である。リモコン１２の表示パネル１００が「表示手段」の一例である。リモコン１２及びコントローラ１４が「設定手段」の一例である。コントローラ１４が「制御手段」の一例である。コントローラ１４内のメモリが「記憶手段」の一例である。
【００９６】
（第２実施例）
次いで、第２実施例の給湯暖房装置１０について、第１実施例と異なる点を中心に説明する。本実施例の給湯暖房装置１０も、その基本構成は第１実施例の給湯暖房装置１０（図１、図２）と共通する。本実施例の給湯暖房装置１０では、助言情報Ｍ１〜Ｍ５を表示するためにコントローラ１４が実行する処理の内容が第１実施例とは異なる。
【００９７】
（助言情報Ｍ１〜Ｍ５を表示するためにコントローラ１４が実行する処理）
図５〜図９を参照して、本実施例において、助言情報Ｍ１〜Ｍ５を表示するためにコントローラ１４が実行する処理の内容を説明する。本実施例では、助言情報Ｍ１〜Ｍ５の表示条件を満たすか否かを、予め決められた順に従って判断する点が第１実施例とは異なる。さらに、本実施例では、節約金額を算出し、算出された節約金額を比較する処理（図５のＳ１４、図６のＳ３６、図７のＳ５６、図８のＳ７６、図９のＳ９６）を行わない点でも第１実施例とは異なる。なお、図５〜図９では、本実施例の処理のうち、第１実施例とは異なる処理部分を破線矢印で図示している。
【００９８】
給湯暖房装置１０の電源がオンされると、コントローラ１４は、図５のＳ１０から処理を開始する。Ｓ１０では、コントローラ１４は、給湯暖房装置１０に現在時刻が設定されていない状態か否かを確認する。Ｓ１０の処理の内容は第１実施例と同様である。Ｓ１０でＹＥＳの場合、Ｓ１２に進む。Ｓ１２の処理の内容も、第１実施例と同様である。本実施例では、Ｓ１２を終えると、Ｓ１４の処理をスキップしてＳ１６に進む。Ｓ１６以降の処理は、第１実施例と同様である。即ち、Ｓ１６でＹＥＳの場合、Ｓ１８では、コントローラ１４は、助言情報Ｍ１を表示パネル１００に表示する。また、Ｓ１６でＮＯの場合も、Ｓ１０に戻る。Ｓ１８を終えると、コントローラ１４は、給湯暖房装置１０の電源をオフするか、又は、Ｓ１０に戻る。
【００９９】
一方、Ｓ１０でＮＯの場合、本実施例では、コントローラ１４は、図６のＳ３０に進む。図６のＳ３０では、コントローラ１４は、温水の設定温度（給湯設定温度、風呂設定温度、半身浴設定温度のいずれか）が４３℃より高いか否かを確認する。Ｓ３０の処理の内容は第１実施例と同様である。Ｓ３０でＹＥＳの場合、Ｓ３２に進む。Ｓ３２では、コントローラ１４は、第１実施例と同様に、前回助言情報Ｍ２を表示してから１０日間（図４の表示間隔）が経過しているか否か判断する。Ｓ３２でＹＥＳの場合、Ｓ３４に進む。Ｓ３４の処理の内容も、第１実施例と同様である。本実施例では、Ｓ３４を終えると、Ｓ３６の処理をスキップしてＳ３８に進む。Ｓ３８以降の処理は、第１実施例とほぼ同様である。即ち、Ｓ３８でＹＥＳの場合、Ｓ４０では、コントローラ１４は、助言情報Ｍ２を表示パネル１００に表示する。一方、Ｓ３８でＮＯの場合、本実施例では、図５のＳ１０に戻る。Ｓ４０を終えると、コントローラ１４は、給湯暖房装置１０の電源をオフするか、又は、図５のＳ１０に戻る。
【０１００】
一方、Ｓ３０でＮＯの場合、又は、Ｓ３２でＮＯの場合、本実施例では、コントローラ１４は、図７のＳ５０に進む。図７のＳ５０では、コントローラ１４は、給湯暖房装置１０の貯湯停止機能がオフであり、かつ、過去に２日連続出湯を行った実績があり、かつ、４８時間以上未出湯状態が続いているか否かを確認する。Ｓ５０の処理の内容は第１実施例と同様である。Ｓ５０でＹＥＳの場合、Ｓ５２に進む。Ｓ５２では、コントローラ１４は、第１実施例と同様に、前回助言情報Ｍ３を表示してから１０日間（図４の表示間隔）が経過しているか否か判断する。Ｓ５２でＹＥＳの場合、Ｓ５４に進む。Ｓ５４の処理の内容も、第１実施例と同様である。本実施例では、Ｓ５４を終えると、Ｓ５６の処理をスキップしてＳ５８に進む。Ｓ５８以降の処理は、第１実施例とほぼ同様である。即ち、Ｓ５８でＹＥＳの場合、Ｓ６０では、コントローラ１４は、助言情報Ｍ３を表示パネル１００に表示する。一方、Ｓ５８でＮＯの場合、本実施例では、図５のＳ１０に戻る。Ｓ６０を終えると、コントローラ１４は、給湯暖房装置１０の電源をオフするか、又は、図５のＳ１０に戻る。
【０１０１】
一方、Ｓ５０でＮＯの場合、又は、Ｓ５２でＮＯの場合、本実施例では、コントローラ１４は、図８のＳ７０に進む。図８のＳ７０では、コントローラ１４は、ユーザによって設定されている保温時間が４時間より長いか否かを確認する。Ｓ７０の処理の内容は第１実施例と同様である。Ｓ７０でＹＥＳの場合、Ｓ７２に進む。Ｓ７２では、コントローラ１４は、第１実施例と同様に、前回助言情報Ｍ４を表示してから１０日間（図４の表示間隔）が経過しているか否か判断する。Ｓ７２でＹＥＳの場合、Ｓ７４に進む。Ｓ７４の処理の内容も、第１実施例と同様である。本実施例では、Ｓ７４を終えると、Ｓ７６の処理をスキップしてＳ７８に進む。Ｓ７８以降の処理は、第１実施例とほぼ同様である。即ち、Ｓ７８でＹＥＳの場合、Ｓ８０では、コントローラ１４は、助言情報Ｍ４を表示パネル１００に表示する。一方、Ｓ７８でＮＯの場合、本実施例では、図５のＳ１０に戻る。Ｓ８０を終えると、コントローラ１４は、給湯暖房装置１０の電源をオフするか、又は、図５のＳ１０に戻る。
【０１０２】
一方、Ｓ７０でＮＯの場合、又は、Ｓ７２でＮＯの場合、本実施例では、コントローラ１４は、図９のＳ９０に進む。図９のＳ９０では、コントローラ１４は、ユーザによって設定されている継続点灯時間が２０分より長いか否かを確認する。Ｓ９０の処理の内容は第１実施例と同様である。Ｓ９０でＹＥＳの場合、Ｓ９２に進む。Ｓ９２では、コントローラ１４は、第１実施例と同様に、前回助言情報Ｍ５を表示してから１０日間（図４の表示間隔）が経過しているか否か判断する。Ｓ９２でＹＥＳの場合、Ｓ９４に進む。Ｓ９４の処理の内容も、第１実施例と同様である。本実施例では、Ｓ９４を終えると、Ｓ９６の処理をスキップしてＳ９８に進む。Ｓ９８以降の処理は、第１実施例とほぼ同様である。即ち、Ｓ９８でＹＥＳの場合、Ｓ１００では、コントローラ１４は、助言情報Ｍ５を表示パネル１００に表示する。一方、Ｓ９８でＮＯの場合、本実施例では、図５のＳ１０に戻る。Ｓ１００を終えると、コントローラ１４は、給湯暖房装置１０の電源をオフするか、又は、図５のＳ１０に戻る。
【０１０３】
また、Ｓ９０でＮＯの場合、又は、Ｓ９２でＮＯの場合も、本実施例では、コントローラ１４は、図５のＳ１０に戻る。即ち、本実施例では、コントローラ１４は、図５のＳ１０、図６のＳ３０及びＳ３２、図７のＳ５０及びＳ５２、図８のＳ７０及びＳ７２、図９のＳ９０及びＳ９２の順で、助言情報Ｍ１〜Ｍ５の各表示条件を満たすか否かを判断する。
【０１０４】
なお、本実施例でも、ユーザによって表示許可が行われた場合（即ち、電源オフ操作とリモコン１２のチェックボタン１０４を押す操作のいずれかが行われた場合）において、助言情報Ｍ１〜Ｍ５のいずれも表示されない場合には、コントローラ１４は、助言情報Ｍ６（図４参照）を表示パネル１００に表示する。
【０１０５】
以上、本実施例の給湯暖房装置１０の構成、及び、コントローラ１４が実行する各処理の内容について説明した。上記の通り、本実施例の給湯暖房装置１０では、助言情報Ｍ１〜Ｍ５の各表示条件を満たすか否かを、予め決められた順（即ち、Ｍ１、Ｍ２、Ｍ３、Ｍ４、Ｍ５の順）に従って判断する。ここで、助言情報Ｍ１〜Ｍ５の各表示条件を満たすか否かの判断順（Ｍ１、Ｍ２、Ｍ３、Ｍ４、Ｍ５の順）は、経験上、現在の設定値を所定の値に変更することによって生じる費用面のメリット（即ち節約金額）が大きいと考えられる順番に従っている。そのため、本実施例では、例えば、助言情報Ｍ１の表示条件と助言情報Ｍ２の表示条件の双方が同時に満たされる場合に、助言情報Ｍ１を助言情報Ｍ２よりも先に表示させることができる。そのため、ユーザは、現在時刻の設定がされていない場合に表示手段に表示させるべき助言情報Ｍ１を優先的に見ることができる。その結果、ユーザは費用面のメリットを大きくし得る。従って、本実施例の給湯暖房装置１０による場合も、ユーザにとって有用な複数の助言情報を適切に表示パネル１００に表示させることができる。
【０１０６】
本実施例と請求項の記載の対応関係を説明しておく。助言情報Ｍ１、助言情報Ｍ２が、それぞれ、「第１の助言情報」、「第２の助言情報」の一例である。助言情報Ｍ１に対応する表示条件、助言情報Ｍ２に対応する表示条件が、それぞれ、「第１の表示条件」、「第２の表示条件」の一例である。
【０１０７】
（第３実施例）
次いで、第３実施例の給湯暖房装置１０について、第１実施例と異なる点を中心に説明する。本実施例の給湯暖房装置１０も、その基本構成は第１実施例の給湯暖房装置１０（図１、図２）と共通する。また、本実施例でも、第１実施例と同様に、コントローラ１４は、助言情報Ｍ１〜Ｍ５を表示するために第１〜第５表示処理（図５〜図９）を同時に実行する。本実施例の給湯暖房装置１０では、コントローラ１４が節約金額Ｅ１、Ｅ２、Ｅ３を算出する際の数式が、第１実施例とは異なる（図５のＳ１４、図６のＳ３６、図７のＳ５６参照）。
【０１０８】
図５に示すように、本実施例では、コントローラ１４は、以下の数式に従って節約金額Ｅ１を算出する。
節約金額Ｅ１＝｛（一般的な家庭が１日に必要とするエネルギー使用量）／（現在時刻が設定されていない場合の運転効率）−（一般的な家庭が１日に必要とするエネルギー使用量）／（現在時刻が設定されている場合の運転効率）｝×エネルギー単価
【０１０９】
上記の数式において、一般的な家庭が１日に必要とするエネルギー使用量の値は、予め決められた一般的な値である。現在時刻が設定されていない場合の運転効率の値、及び、現在時刻が設定されている場合の運転効率の値は、第１実施例と同様である。
【０１１０】
図６に示すように、本実施例では、コントローラ１４は、以下の数式に従って節約金額Ｅ２を算出する。
節約金額Ｅ２＝｛（一般的な家庭が１日に必要とするエネルギー使用量）／（温水の設定温度が４３℃より高い温度に設定されている場合の運転効率）−（一般的な家庭が１日に必要とするエネルギー使用量）／（温水の設定温度が４３℃以下に設定されている場合の運転効率）｝×エネルギー単価
【０１１１】
上記の数式においても、一般的な家庭が１日に必要とするエネルギー使用量の値は、予め決められた一般的な値である。温水の設定温度が４３℃より高い温度に設定されている場合の運転効率の値、及び、温水の設定温度が４３℃以下に設定されている場合の運転効率の値は、第１実施例と同様である。
【０１１２】
図７に示すように、本実施例では、コントローラ１４は、以下の数式に従って節約金額Ｅ３を算出する。
節約金額Ｅ３＝（自動的に貯湯が停止される期間（７日間）で貯湯に必要とされる一般的なエネルギー量）×エネルギー単価
【０１１３】
上記の数式における自動的に貯湯が停止される期間（７日間）で貯湯に必要とされる一般的なエネルギー量は、未使用状態が継続した場合において、自動的に貯湯運転が停止されるまでの期間で必要とされるエネルギー量の予め決められた一般的な値である。
【０１１４】
本実施例の給湯暖房装置１０でも、第１実施例と同様に、ユーザにとって有用な複数の助言情報を適切に表示パネル１００に表示させることができる。
【０１１５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【０１１６】
（変形例１）  上記の第１、第３実施例では、コントローラ１４は、第１〜第５表示処理（図５〜図９）をすべて同時に実行している。これに限られず、その場合、コントローラ１４は、第１〜第５表示処理のうちの２つ以上を同時に実行すれば、第１〜第５表示処理のうちの１つ以上の実行を省略してもよい。
【０１１７】
（変形例２）  上記の第２実施例では、コントローラ１４は、図５のＳ１０、図６のＳ３０及びＳ３２、図７のＳ５０及びＳ５２、図８のＳ７０及びＳ７２、図９のＳ９０及びＳ９２の順で、助言情報Ｍ１〜Ｍ５の各表示条件を満たすか否かを判断している。これに限られず、コントローラ１４は、図５のＳ１０、図６のＳ３０及びＳ３２の順で、助言情報Ｍ１、Ｍ２の各表示条件を満たすか否かを判断すれば、その後の判断順序は任意としてもよい。また、図７のＳ５０及びＳ５２、図８のＳ７０及びＳ７２、図９のＳ９０及びＳ９２のうち１組以上の判断を省略してもよい。
【０１１８】
（変形例３）  上記の各実施例では、コントローラ１４は、表示パネル１００に助言情報を一つだけ表示させている。これに限られず、コントローラ１４は、表示パネル１００に表示させるべき複数の助言情報が存在する場合において（図５のＳ１０でＹＥＳ、図６のＳ３２でＹＥＳ、図７のＳ５２でＹＥＳ、図８のＳ７２でＹＥＳ、図９のＳ９２でＹＥＳの各場合のうち２つ以上の場合）、表示許可が行われた場合に、２つ以上の助言情報を表示パネル１００に表示させるようにしてもよい。その場合、コントローラ１４は、表示させるべき複数の助言情報のそれぞれに、現在の設定値を所定の値に変更することによって生じる節約金額が大きいものから順に優先順位を付し、付された優先順位に従って、各助言情報を表示パネル１００に表示させるようにしてもよい。コントローラ１４は、表示許可が行われた場合に、２つ以上の助言情報を同時に表示パネル１００に表示させるようにしてもよい。その際、コントローラ１４は、付された優先順位が最も高いものを最も目立つ位置（例えば表示パネル１００の画面内の一番上）に表示させることが好ましい。また、コントローラ１４は、表示許可が行われた場合に、２つ以上の助言情報を順番に表示パネル１００に切り替え表示させるようにしてもよい。その際、コントローラ１４は、付された優先順位に従って、順番に助言情報を表示させることが好ましい。
【０１１９】
（変形例４）  上記の各実施例では、給湯暖房装置１０が、電気式熱源としてヒートポンプ４０を有している例を説明した。電気式熱源はヒートポンプに限られず、例えば電気ヒータであってもよい。
【０１２０】
（変形例５）  上記の各実施例では、給湯暖房装置１０は、蓄熱手段として温水を貯める貯湯タンク３０を有している例を説明した。蓄熱手段は貯湯タンクに限られず、例えば他の熱媒を貯めるタンクや容器であってもよい。また、蓄熱手段は、電気式熱源やガス式熱源が発生した熱に加え、地熱、太陽熱、発電熱といった他の熱を蓄熱するものであってもよい。
【０１２１】
（変形例６）  上記の各実施例では、本明細書で開示する技術を実現するための給湯暖房装置１０を例として説明した。これに限らず、本明細書で開示する技術を実現するための装置は、暖房機能を備えない給湯装置、又は、給湯機能を備えない暖房装置であってもよい。
【０１２２】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【０１２３】
１０：給湯暖房装置
１２：リモコン
１４：コントローラ
１６：給湯管
１８：給湯バイパス管
２０：バイパス制御弁
２２：出湯管
２４：給湯側混合弁
２６：給水バイパス管
２８：給水管
３０：貯湯タンク
３２：蓄熱送り管
３４：蓄熱戻り管
４０：ヒートポンプ
５０：給湯暖房ユニット
６０：暖房送り管
６２：第１暖房戻り管
６４：第２暖房戻り管
６６：暖房バイパス管
６８：暖房側混合弁
７０：暖房端末
８２：風呂戻り管
８４：風呂往き管
９０：浴槽
１００：表示パネル
１０２：電源ボタン
１０４：チェックボタン
【要約】      （修正有）【課題】ユーザにとって有用な複数の情報を適切に表示手段に表示させるための技術を提供する。【解決手段】給湯暖房装置１０は、ヒートポンプ４０と、給湯暖房ユニット５０と、貯湯タンク３０と、暖房端末７０と、コントローラ１４と、リモコン１２を備えている。リモコン１２は、情報を表示するための表示パネルを有する。コントローラ１４は、ヒートポンプ４０及び給湯暖房ユニット５０を含む給湯暖房装置１０の全体の動作を制御する制御手段である。コントローラ１４は、表示パネル表示させるべき複数の助言情報が存在する場合に、現在の設定値を所定の値に変更することによって生じる節約金額が最大である助言情報を優先的に表示パネルに表示させる。【選択図】図１【図１】
0005577423.tif 000002
【図２】
0005577423.tif 000003
【図３】
0005577423.tif 000004
【図４】
0005577423.tif 000005
【図５】
0005577423.tif 000006
【図６】
0005577423.tif 000007
【図７】
0005577423.tif 000008
【図８】
0005577423.tif 000009
【図９】
0005577423.tif 000010